(57)【要約】      （修正有）【課題】強度、防音・防熱等に対する対応が十分で、地震・余震・豪雪・火山噴火・暴風・土石流等の過酷な自然環境にも十分対応可能なプレキャストボックスカルバートと収納体を用いたユニット式建物及びその組付け方法を提供することにある。【解決手段】連結体（プレキャストボックスカルバートが複数個連結）１０の中空部に収納体２０が配設されるユニット式建物Ｂであって、収納体２０が連結体１０を構成する各単函（プレキャストボックスカルバート）との間の少なくとも３方に空気層３０が設けられるように配設される。【選択図】図９
2007277962.tif 000002
【特許請求の範囲】
【請求項１】
仮設住宅等として利用可能なユニット式建物であって、複数個連結されるプレキャストボックスカルバートと、該プレキャストボックスカルバートの中空部に配設される収納体と、を備え、
前記収納体は前記プレキャストボックスカルバートとの間の少なくとも３方に空気層が設けられるように配設されたことを特徴とするプレキャストボックスカルバートと収納体を用いたユニット式建物。
【請求項２】
前記収納体が前記プレキャストボックスカルバートと前記収納体との間に設けられた緩衝手段によって固定されたことを特徴とする請求項１記載のプレキャストボックスカルバートと収納体を用いたユニット式建物。
【請求項３】
前記緩衝手段が少なくとも収納体外側上下面に設けられたことを特徴とする請求項２記載のプレキャストボックスカルバートと収納体を用いたユニット式建物。
【請求項４】
前記緩衝手段はエアージャッキであって、免震手段としても作動することを特徴とする請求項２又は３に記載のプレキャストボックスカルバートと収納体を用いたユニット式建物。
【請求項５】
前記収納体が建築用パネルにて構成されたことを特徴とする請求項１記載のプレキャストボックスカルバートと収納体を用いたユニット式建物。
【請求項６】
前記複数個連結されるプレキャストボックスカルバートの端部側に位置する開口部を前記収納体に形成されたドア部および／または窓部の位置に相当する部分に開口部が形成されたカバープレートで塞ぐことを特徴とする請求項１記載のプレキャストボックスカルバートと収納体を用いたユニット式建物。
【請求項７】
前記空気層には、断熱材、換気ダクト、パイプ、電線を含む前記収納体関連部材が配設されたことを特徴とする請求項１記載のプレキャストボックスカルバートと収納体を用いたユニット式建物。
【請求項８】
プレキャストボックスカルバートの中空部に建築用パネルを配設したユニット式建物を収納物とするプレキャストボックスカルバートと収納体を用いたユニット式建物であって、前記パネルを配設した箇所は、トイレ、バス、ランドリー、キッチンを含む水周りスペース、発電機、水タンク、灯油タンクを含む物置場のいずれか一つ以上として利用可能としたことを特徴とするプレキャストボックスカルバートと収納体を用いたユニット式建物。
【請求項９】
前記請求項１乃至８に記載のプレキャストボックスカルバートと収納体を用いたユニット式建物を水平方向に連設して、複数家族で使用可能な住居ユニットを構成したことを特徴とするプレキャストボックスカルバートと収納体を用いたユニット式建物。
【請求項１０】
前記連設部に上底面がコンクリート板で形成され、上底面間の４隅に柱が形成されたプレキャストボックスカルバートが配設されていることを特徴とする請求項９に記載のプレキャストボックスカルバートと収納体を用いたユニット式建物。
【請求項１１】
前記請求項１乃至１０に記載のプレキャストボックスカルバートと収納体を用いたユニット式建物であって、プレキャストボックスカルバートの開口部を本来使用している住居の玄関に繋がる形で、配設したことを特徴とするプレキャストボックスカルバートと収納体を用いたユニット式建物。
【請求項１２】
プレキャストボックスカルバート内に収納体を配設し、仮設住宅等として利用可能なユニット式建物の組付け方法であって、
前記プレキャストボックスカルバートを所定位置に移動するプレキャストボックスカルバート移動工程と、
プレキャストボックスカルバート移動工程により所定位置に配置されたプレキャストボックスカルバートを複数連結するプレキャストボックスカルバート連結工程と、
居住空間を形成する収納体を、複数個連結された前記プレキャストボックスカルバートの中空部に装着させる収納体装着工程と、を含み、
前記収納体装着工程では、流体キャスターを用いて、前記収納体が、前記プレキャストボックスカルバートとの間の少なくとも３方に空気層が設けられるように配設されてなることを特徴としたプレキャストボックスカルバートと収納体を用いたユニット式建物の組付け方法。
【請求項１３】
前記収納体装着工程では、前記収納体を前記プレキャストボックスカルバートの内部底面に配設された台座上に載置させ、収納体の上面にも前記台座を設け、
前記台座と前記収納体との間に設けられたエアージャッキに空気又は窒素ガスを充填して前記収納体が固定されることを特徴とした請求項１２記載のプレキャストボックスカルバートと収納体を用いたユニット式建物の組付け方法。
【請求項１４】
前記収納体を前記プレキャストボックスカルバートと前記収納体との間に設けられた前記緩衝手段によって固定する工程、を備えてなることを特徴とする請求項１２記載のプレキャストボックスカルバートと収納体を用いたユニット式建物の組付け方法。
【請求項１５】
前記緩衝手段としてエアージャッキに空気又は窒素ガスを充填して収納体を固定する構成としたことを特徴とする請求項１４記載のプレキャストボックスカルバートと収納体を用いたユニット式建物の組付け方法。
【発明の詳細な説明】
【技術分野】
【０００１】
本発明はプレキャストボックスカルバートと収納体を用いたユニット式建物及びその組付け方法に係り、特に仮設住宅等として利用可能なユニット式建物であって、地震・余震・豪雪・火山噴火・暴風・土石流などの過酷な自然環境にも耐えられるユニット式建物及びその組付け方法に関する。
【背景技術】
【０００２】
従来、我国の仮設住宅はユニットハウス単体、もしくは複数をつなぎ合せて３０〜５０家族が集団で利用するようになっている。これらは、自然災害で家を失ったり、居住地域が危険地域に指定された場合に、その地域の住民が利用するというのが通例である。
しかし、これらユニットハウス仮設住宅は、防音・防熱、強度等に対する対応が十分になされておらず、地震・余震・豪雪・火山噴火・暴風・土石流などの過酷な自然環境に対して十分な安全性を保証するものではないため、被災地からかなり離れた一定以上の面積のある場所に、多数の被災者を収容する目的で建設されていた。また、ユニットハウスの強度を上げる場合には補強工事・大幅な仕様変更など莫大なコストがかかると共に、仕様変更されたユニットハウスについては短期間のリース・レンタルにおいて問題が生じる可能性があった。
【０００３】
そこで、従来、堅牢で天災に強いユニットハウスが提案されている（例えば、特許文献１，２参照）。
特許文献１では、落石や土砂崩れ、台風等の自然災害が多発する地域において用いることができるユニットハウスが提案されている。この特許文献１に記載のユニットハウスは、床フレーム、柱、屋根フレーム等の全体が鉄骨構造を成しており、さらに、屋根及び外壁のパネルを鉄板にて設けた構成とされている。
【０００４】
また、特許文献２では、火事や地震等の天災に強いユニットハウスが提案されている。この特許文献２に記載のユニットハウスは、コンクリート四角筒体の組み合わせから成り、各筒体コンクリートをレール上を滑走させることにより移動させ、ボルトによって螺着される構成となっている。
【０００５】
【特許文献１】実用新案登録第３１０９８３９号公報
【特許文献２】実開平０６−０３２６０５号公報
【発明の開示】
【発明が解決しようとする課題】
【０００６】
しかしながら、特許文献１に記載のユニットハウスでは、屋根に用いられた鉄板の厚さを９ｍｍ〜１５ｍｍの範囲を適当としており、豪雪地域での雪荷重に耐えるだけの強度を維持することが困難であった。また、免震機能を備えていないため、余震の続く震災地での使用には適さないという不都合があった。屋根に用いられた鉄板の厚さを災害等のレベルにより変更することも可能である旨記載されているが、このようにすると莫大なコストがかかってしまうという問題が生じる。
【０００７】
また、特許文献２に記載のユニットハウスでは、コンクリートを使用することによる強度効果は得られるが、免震機能を備えていないため、余震の続く震災地での使用には適さないという不都合があった。また、特許文献２に記載のユニットハウスは、単に筒体コンクリートを組み合わせたものであり、防音、防熱等の生活環境に対する対応がなされておらず、被災地での仮設住宅としては適さないという問題があった。
【０００８】
本発明の目的は、予期しない荷重等にも耐えることが可能であり、防音・防熱、強度等に対する対応が十分で、地震・余震・豪雪・火山噴火・暴風・土石流等の過酷な自然環境にも十分対応可能なプレキャストボックスカルバートと収納体を用いたユニット式建物を提供することにある。
本発明の他の目的は、上記したプレキャストボックスカルバートと収納体を用いたユニット式建物を容易に組み付けることのできる組付け方法を提供することにある。
【０００９】
また、本発明の他の目的は、使用したプレキャストボックスカルバートに傷を付けず、再利用することが可能なプレキャストボックスカルバートと収納体を用いたユニット式建物及びその組付け方法を提供することにある。
【課題を解決するための手段】
【００１０】
前記課題は、請求項１のプレキャストボックスカルバートと収納体を用いたユニット式建物によれば、仮設住宅等として利用可能なユニット式建物であって、複数個連結されるプレキャストボックスカルバートと、該プレキャストボックスカルバートの中空部に配設される収納体と、を備え、前記収納体は前記プレキャストボックスカルバートとの間の少なくとも３方に空気層が設けられるように配設されたこと、により解決される。
【００１１】
このとき、請求項２のように、前記プレキャストボックスカルバートと前記収納体との間に緩衝手段を設けて固定すると好適である。
このような緩衝手段によって、ボックスカルバートへの衝撃や揺れ等が直接収納体に伝わらず、緩衝手段を介して伝わることになり、地震・余震などの振動、揺れなどに対応することが可能となる。
【００１２】
このとき、請求項３のように、緩衝手段が少なくとも収納体外側上下面に設けられていると好適である。このように構成すると、収納体に傷が付くのを防げると共に、収納体を２方から緩衝手段によって押さえ、容易に固定することが可能となる。
【００１３】
また、緩衝手段として、請求項４のようにエアージャッキを用いると好適である。エアージャッキはゴムダンバと異なり、伸縮幅があるため、その伸縮幅において免震手段として作用する。
【００１４】
さらに、請求項５のように、収納体が建築用パネルによって構成されてもよい。これは収納体はプレキャストボックスカルバート内に配置されるために、強度が要求されず、建物としての強度ではなく、居住性があればよく、パネル程度の強度であっても充分となるものである。
【００１５】
また、請求項６のように、複数個連結されるプレキャストボックスカルバートの端部側に位置する開口部を前記収納体に形成されたドア部および／または窓部の位置に相当する部分に開口部が形成されたカバープレートで塞ぐようにすると、居住性や通行、風通しなどを良好にすることが可能となる。
【００１６】
さらに、請求項７のように、プレキャストボックスカルバートと収納体との間の空気層には、断熱材、換気ダクト、パイプ、電線を含む収納体関連部材が配設されるように構成すると、より居住性を高め、快適なものとなる。
【００１７】
前記課題は、請求項８に係るプレキャストボックスカルバートと収納体を用いたユニット式建物によれば、プレキャストボックスカルバートの中空部に建築用パネルを配設したユニット式建物を収納物とするプレキャストボックスカルバートと収納体を用いたユニット式建物であって、前記パネルを配設した箇所は、トイレ、バス、ランドリー、キッチンを含む水周りスペース、発電機、水タンク、灯油タンクを含む物置場のいずれか一つ以上として利用可能としたこと、により解決される。
【００１８】
さらに、請求項９のように、プレキャストボックスカルバートと収納体を用いたユニット式建物を水平方向に連設して、複数家族で使用可能とすることができる。
【００１９】
このとき、請求項１０のように、ユニット式建物の連設部には上底面がコンクリート板で形成され、上底面間の４隅に柱が形成されたプレキャストボックスカルバートが配設されていると、その空間を多数の家族の共通空間として利用することができ、公的である。
【００２０】
また、請求項１１のように、プレキャストボックスカルバートの開口部を本来使用している住居の玄関に繋がる形で、配設すると好適である。このようにすると、災害が起こる可能性がある地域において、災害時には緊急避難的に収納物内で居住して、本来使用している住居との間の行き来が確保することができ、より快適性が高まる。
【００２１】
前記課題は、請求項１２に係るプレキャストボックスカルバートと収納体を用いたユニット式建物の組付け方法によれば、プレキャストボックスカルバート内に収納体を配設し、仮設住宅等として利用可能なユニット式建物の組付け方法であって、前記プレキャストボックスカルバートを所定位置に移動するプレキャストボックスカルバート移動工程と、プレキャストボックスカルバート移動工程により所定位置に配置されたプレキャストボックスカルバートを複数連結するプレキャストボックスカルバート連結工程と、居住空間を形成する収納体を、複数個連結された前記プレキャストボックスカルバートの中空部に装着させる収納体装着工程と、を含み、前記収納体装着工程では、流体キャスターを用いて、前記収納体が、前記プレキャストボックスカルバートとの間の少なくとも３方に空気層が設けられるように配設されてなること、により解決される。
【００２２】
このとき、請求項１３のように、収納体装着工程では、前記収納体を前記プレキャストボックスカルバートの内部底面に配設された台座上に載置させ、収納体の上面にも前記台座を設け、前記台座と前記収納体との間に設けられたエアージャッキに空気又は窒素ガスを充填して前記収納体が固定されるようにすると好適である。
【００２３】
また、請求項１４のように、収納体をプレキャストボックスカルバートと前記収納体との間に設けられた前記緩衝手段によって固定する工程、を備えるように構成すると好適である。
【００２４】
さらに、請求項１５のように、緩衝手段としてエアージャッキに空気又は窒素ガスを充填して収納体を固定する構成とすると好適である。
【発明の効果】
【００２５】
本発明のプレキャストボックスカルバートと収納体を用いたユニット式建物によれば、複数個連結させたコンクリート製プレキャストボックスカルバートの中空部に、プレキャストボックスカルバートとの間の少なくとも３方に空気層が設けられるように収納体が配設されているため、雪荷重や振動等の衝撃に耐えることができ、空気層が設けられることによって、防音、防熱等の効果を得ることができる。これにより、地震・余震・豪雪・火山噴火・暴風・土石流等の過酷な自然環境でも使用することが可能となる。
【００２６】
また、収納体をプレキャストボックスカルバートと収納体との間に設けられた緩衝手段によって固定する構成とすることにより、耐震性が向上して余震の続く震災地でも安心して使用することが可能となる。
【００２７】
さらに、プレキャストボックスカルバートを本来の使用目的であるボックス・パイプカルバートへ再利用することが可能であり、さらに、コンクリート製品であるプレキャストボックスカルバートは劣化する心配がなく長時間使用・保管する事が可能なため、リース・レンタル方式が可能となり、自治体等使用者のコスト負担を最小限に抑えることが可能となる。
【発明を実施するための最良の形態】
【００２８】
以下、本発明の一実施形態を図面に基づいて説明する。なお、以下に説明する部材，配置等は本発明を限定するものでなく、本発明の趣旨の範囲内で種々改変することができるものである。
図は本発明の実施形態を示すものであり、図１はプレキャストボックスカルバートと収納体を用いたユニット式建物の斜視図、図２は図１に用いられるプレキャストボックスカルバートの単函の斜視図、図３は図２のプレキャストボックスカルバートを複数個連結した連結体の斜視図、図４はプレキャストボックスカルバートの連結部分を示す説明図、図５はプレキャストボックスカルバートの連結体に収納体を装着する説明図、図６はプレキャストボックスカルバートの連結体に収納体を装着する工程の説明図である。図７はエアージャッキの説明図、図８はユニット式建物の図１のＡ−Ａ断面図、図９は別の例を示す図８と同様な断面図、図１０はプレキャストボックスカルバートの連結例を示した説明図である。
【００２９】
本発明に係るユニット式建物Ｂは、仮設住宅等として利用可能なユニット式建物であり、プレキャストボックスカルバート１１と、収納体２０と、を主たる構成要素としている。
本例のプレキャストボックスカルバート（以下「単函」という）１１と収納体２０を用いたユニット式建物Ｂは、複数個連結されたプレキャストボックスカルバート（以下、「連結体」という）１０の中空部１２に、収納体２０が連結体（プレキャストボックスカルバートが複数個連結）１０との間の４方に空気層３０が設けられるように配設されている。
【００３０】
本明細書において単函（又はプレキャストボックスカルバート）１１とは、その外形形状に拘わらず所定長さの中空枠体を指すものとする。工場で製作される単函１１には、その断面が方形、円形、Ｕ形のものがあるが、本例では、図２に示すように現在ボックスカルバートに代表されて使用されている方形のものを使用している。方形の単函１１を使用することによって、地盤造成工事を行なう必要がなくなり、さらに、安定性がもたらされる。なお、単函１１は方形に限らず逆Ｕ形のものを使用しても同様の効果を得ることができる。
【００３１】
単函１１は、断面のサイズを自由自在に形成することができ、一般的にはコンクリートの厚みは一定で、十分な防音・断熱効果を維持し、外力に対する強度は、主として鉄筋のサイズ・本数により調整される。
【００３２】
また、自然災害による住民の避難用仮設住宅は、その性格上迅速に設置され、かつ固定設備でなくリース・レンタルが可能なものでなくてはならないが、単函１１は長期間工場に保管し、いざというときに迅速に出荷することが可能である。
【００３３】
単函１１の長さは、現場への輸送トラックの積載荷重・荷下ろし・据付時のクレーン吊り能力によって決められる。一般的に１〜２ｍのものが多いが、標準ユニットハウスのサイズから判断して、本例では断面内サイズが２８００（横）×２８００（縦）×１０００（深さ）〔ｍｍ〕、コンクリート部の肉厚が２２０〜２４０〔ｍｍ〕の標準型を１例として説明する。なお、単函１１のサイズはこれに限定されるものではない。
【００３４】
本例に用いた単函１１の自重は約７トンであり、１５トン車で２函ずつ設置現場に運ばれ、吊り能力２５〜３５トンクラスのクレーンで荷下ろし・組立・据付を行う。
【００３５】
図３に示すように、単函１１は中空部１２が水平方向に連通するように複数個配設され、各々の接続面で連結手段によって連結（接続）される。連結（接続）は、公知の連結手段によって行われればよく、図４に示すように、本例では、単函１１の４隅に切欠孔１１ａ...を形成し、連結用の金具１１ｂとボルトナット１１ｃ，１１ｄによって螺着している。なお、連結（接続）は、ボルトナットに限らず、単函１１を継ぎ手で行う技術、ＰＣ鋼材の緊締により行う技術、ワンタッチ・ジョイントによる接続で行う技術等で固定することが可能である。また、単函１１と単函１１の接続部は、現在公知のボックス・パイプカルバートの設置工事で採用されている防水処置をおこなうことにより、豪雨・豪雪によって連結体１０の内部に水が入ることはない。
【００３６】
なお、連結する単函１１の数は、連結体１０内に配設される収納体２０の大きさや、組み合わせによって決められ、中空部１２に配設される収納体２０としては、既存のユニットハウス等を使用すればよい。
【００３７】
本例の図５で例示した収納体２０の寸法形状は２２４０（横）×２５６０（縦）×３８４５（深さ）〔ｍｍ〕、自重が７６０〔ｋｇ〕であるが、これに限定されるものではない。また、複数の収納体２０を組み合わせて使用してもよく、その場合には、図１０に示すように単函１１を所望数だけ連結して使用する。
【００３８】
図８に示すように、本例では収納体２０の底面４隅に台座６０を設けており、収納体２０は連結体１０を構成する各単函１１との間の４方に空気層３０ができるように配設されている。なお、台座を設けずに、収納体２０と連結体１０との間の上左右３方に空気層３０ができるように構成してもよい。
【００３９】
空気層３０には、収納体２０を固定するための緩衝手段が配設される。本例では、緩衝手段として、エアージャッキ４０を用いている。台座６０を収納体２０の上面４隅に当たるように配設し、それぞれにエアージャッキ４０を挟み、５〜７Ｋｇ／ｃｍ２の空気又は窒素ガスを充填し、収納体２０を上面４隅から押圧して、確実に固定する。エアージャッキ４０は伸縮幅があるため、免震手段を備えている。
【００４０】
図７に示すようにエアージャッキ４０は、圧力調整器４２とコントロールボックス４１を備えており、各エアージャッキ４０には空気ボンベまたは窒素ボンベより圧力調整弁を介して所定圧力の空気又は窒素ガスが供給され、気温の変化、漏れ等により所定の圧力より下がった場合は自動的に所定の圧力まで充気できるシステムとしている。台座６０、エアージャッキ４０は、現地の状況をみて、必要ならば側面にも取り付けられる。これにより、収納体２０をしっかりと固定することができる。
【００４１】
エアージャッキ４０の性能は多種あるが、地震時に収納体２０に作用する外力から判断し、本例で使用されるものの１例として、サイズが約２５０ｍｍ×２５０ｍｍ×２２ｍｍ、容量０〜４．４トン、揚程０〜１２５ｍｍ、必要空気または窒素ガス量２２リットルのエアージャッキ４０が挙げられる。
【００４２】
なお、緩衝手段は、エアージャッキ４０に限定されるものではなく、地震対策用ストッパー等を用いることも可能である。また、緩衝手段の配置位置や個数もこれに限定されるものではなく、収納体２０の上下左右、どの面に当たるように配設してもよい。
【００４３】
また、図９に示すように、この空気層３０には、断熱材３１、空調ダクト３２、電線保護管３３、給水・汚水用パイプ３４等が配設される。このように、収納体２０と連結体１０との間の少なくとも３方に空気層３０が設けられることにより、防音・防熱効果を得ることができ、さらに、上述したように、空気層３０を断熱材３１、空調ダクト３２、電線保護管３３、給水・汚水用パイプ３４等の配設空間として使用することができる。
【００４４】
また、連結体１０の端部側に位置する開口部、多くは両端の開口部は採光・換気・出入り口として利用できるように、連結体１０内部に配設される収納体２０に形成されたドア部および／または窓部の位置に相当する部分に開口部７０が形成されたコンクリート製のカバープレートＰを配設して塞ぐように構成されている（図１，図５）。なお、本例のカバープレートＰには、ダクトや電線保護管、給水・汚水用パイプ等が通る開口部７１も形成されている。
【００４５】
単函１１の上・下・側壁のコンクリート板には、採光用、換気用、出入り口用、配管・配線・ダクト用の穴加工は原則行わず、連結体１０と収納体２０の間隙並びにカバープレートＰの部分のみを加工して、利用する。このような構成とすることにより、単函１１をプレキャストボックスカルバートの本来の使用目的であるボックス・パイプカルバートへ再利用することが可能となる。但し、使用者が長期使用し、ボックスカルバートへの再利用を考えない場合はコンクリート壁に穴加工することをしてもよい。
【００４６】
一般に、単函１１及び連結体１０全体の剛性は極めて高く、地震・強風による振動・移動・転倒・地盤の不当沈下による傾斜などは発生しない。通常連結体１０の上方からの圧縮に対する強度は、地下３ｍでの埋設、地上で１トン／ｍ２の輪荷重のトラックの走行に耐えるように設計されている。土の比重を１．８トンとすると深さ３ｍの土荷重は５．４トンとなり、輪荷重１トンを加えると６．４トン／ｍ２に耐える事ができ、すなわち、６．４ｍの積雪に耐えることが可能である。
【００４７】
従来のユニットハウスによる仮設住宅・避難施設は、被災地からかなり離れた一定以上の面積のある場所に、多数の被災者を収容する目的で建設されていたが、本例では雪荷重や振動等の衝撃に強い単函１１（及び連結体１０）の中空部１２に、収納体２０を配設した構成とすることによって、危険地帯の住民や事業者が自宅や事業所の側に設置して、一時的に危険を回避するために使用することが可能となる。
【００４８】
さらに、連結体１０全体の剛性が高いので、従来行っていたような地盤造成工事（基礎工事などを含む）や風荷重対策としてのワイヤーによるラッシング、災害等のレベルに合わせた補強工事・大幅な仕様変更を行う必要がなく、コストを低減することが可能となる。また、プレキャストボックスカルバートはメーカーが点在しており、日本全国どこでも手に入れることが可能である。  
【００４９】
次に、収納体２０を連結体１０の中空部１２に装着する方法について説明する。本例では、収納体２０を連結体１０の中空部１２に装着する方法として、流体キャスター５０を使用した例を示す。
図６に示すように、連結体１０の底面端部には、流体キャスター５０による収納体２０の移動が可能となるように、連結体１０から外側に向けて低くなるように傾斜した板部材５１が設置される。
【００５０】
本例の流体キャスター５０としては、エアキャスターを用いているが、流体キャスター５０としてはウオーターキャスターを用いてもよい。このときに、流体キャスター５０の移動範囲にスキッド面としての軌道面５２を形成する。本例では軌道面５２として、薄いトタン板を敷設しているが、トタン板に限らず、コンクリート面が十分に円滑になるようなフィルム等を敷設するように構成することもできる。なお、本例では特許第３２９４１８６号に記載の流体キャスターを使用している。
【００５１】
軌道面５２上で、収納体２０の底面４隅に流体キャスター５０を装着して配置し、３ｋｇ／ｃｍ２前後のエアーを供給することで３／１０００〜１０／１０００程度の摩擦力、即ち約８ｋｇの押・引力で移動させることが可能となる。また、流体キャスター５０を用いることにより、収納体２０を組み合わせる構成として自重が約２トンとなる場合でも、約２０ｋｇの押・引力で移動させることが可能であり、作業員１〜２名で移動させることが可能となる。
【００５２】
流体キャスター５０で収納体２０を連結体１０の内部に移動した後、流体キャスター５０への空気供給を止め、収納体２０を連結体１０の内部底面に配設された台座６０に乗せ、流体キャスター５０を引き抜いて外す。本例では、台座６０が収納体２０の底面４隅に当たるように設置されている。
【００５３】
これにより、収納体２０は連結体１０を構成する各単函１１との間の上左右４方に空気層３０が設けられるように配設される。このように、空気層３０を設けることにより、防音・断熱の効果を得ることが可能となる。
【００５４】
また、所定の目的を終了し、これらの単函１１（及び連結体１０）と収納体２０を用いたユニット式建物Ｂを解体し、他の場所に移動するときは、組み立ての全く逆の作業を行えばよい。例えば、カバープレートＰ取り外し→配管・配線・ダクト類、緩衝手段取り外し→流体キャスター５０にて連結体１０移動→連結体１０の接続ボルト取り外し→単函１１に分離→クレーンにてトラックに乗せて移動するなど、流体キャスターを利用することにより、解体作業も人力で行うことが可能となり、大がかりな装置を必要としない。
【００５５】
使用後分離された単函１１は、何ら傷を付けておらず、プレキャストボックスカルバートの本来の使用目的であるボックス・パイプカルバートへ再利用することが可能となっている。また、コンクリート製品なので劣化する心配がなく長時間使用・保管する事が可能なため、リース・レンタル方式が可能となり、自治体等の使用者へのコスト負担を最小限に押さえることができる。
【００５６】
また、収納体２０としてユニットハウス等の出荷が間に合わない場合は、連結体１０の中で建築用パネル２１を組立てて居住設備とすることも可能である。むしろこの方が床面積をより効率的に増やすことができ、コストも安価となる。本例では、プレキャストボックスカルバートを用いることで、自然外力は全て連結体１０が負担するため、パネル２１以外の強度部材は不要となり、このような構成とすることが可能となる。
【００５７】
図１１乃至図１７は、他の実施例に係るプレキャストボックスカルバートと収納体を用いたユニット式建物を説明する図であり、図１１はプレキャストボックスカルバートと収納体を用いたユニット式建物の図１のＡ−Ａ断面に相当する断面図、図１２は更に他の実施形態の図１１と同様な断面図、図１３はプレキャストボックスカルバートの連結体１０に収納体としてのユニットハウスを装着した状態の平面図、図１４は他の実施形態の図１３と同様な平面図、図１５は図１４に用いられた接続用函の説明図、図１６は他の実施形態に係るユニット式建物を既存の居住建物に接続した例を示す斜視図、図１７は他の実施形態に係るプレキャストボックスカルバートと収納体を用いたユニット式建物の斜視図である。
これらの各実施例において、前記実施例と同一部材には、同一符号を付してその説明を省略する。
【００５８】
（第２の実施形態）
図１１は他の実施形態に係るプレキャストボックスカルバートと収納体を用いたユニット式建物の図１のＡ−Ａ断面に相当する断面図であり、本例では連結体１０と収納体２０を用いたユニット式建物において、収納体２０を固定するための緩衝手段が収納体２０の外側上下面に配設された例を示すものである。なお、緩衝手段には前記実施例と同様、エアージャッキ４０を使用している。
【００５９】
本例ではこのような構成とするため、流体キャスター５０で収納体２０を連結体１０の内部に移動した後、流体キャスター５０への空気供給を止め、収納体２０を連結体１０の内部底面に配設された台座６０に乗せ、流体キャスター５０を引き抜いて外す。台座６０は収納体２０の上面にも配設されて、それぞれにエアージャッキ４０を挟み込んで、５〜７Ｋｇ／ｃｍ２の空気又は窒素ガスを充填し、収納体２０を上面及び底面からしっかりと固定する。なお、台座６０は収納体２０の上面・底面の４隅に当たるように設置されている。これにより、連結体１０と収納体２０の間には左右に各々２８０ｍｍ、上下各々１２０ｍｍの空間が出来る。なお、台座６０、エアージャッキ４０は、連結体（プレキャストボックスカルバート）１０と収納体２０を用いたユニット式建物の据付現場における状況をみて、必要ならば側面にも取り付けられる。
【００６０】
このように、本例では伸縮幅のあるエアージャッキ４０を収納体２０の上面と底面に配設しているため、地震・余震に対してその揺れを吸収する免震装置としての機能を持たせることが可能となる。
また、エアージャッキ４０のシステムや性能については前記実施例と同様のため説明を省略する。
【００６１】
（第３の実施形態）
図１２は他の実施形態に係るプレキャストボックスカルバートと収納体を用いたユニット式建物の図１のＡ−Ａ断面に相当する断面図である。図１２で示す例では、収納体２０を固定するための緩衝手段が収納体２０の外側上下面に配設されており、さらに単函１１（及び連結体１０）と、その中に配置される収納体２０との間の空間（空気層３０）を利用して、収納体２０の周囲に、断熱材３１を配置している。またこの空間（空気層３０）を利用して、断熱材３１の他に、空調ダクト３２、給水・汚水用パイプ３４、電線保護管３３を含む収納体関連部材を配設している。本例では、空調ダクト３２、給水・汚水用パイプ３４、電線保護管３３は、ポリエチレン樹脂をコルゲート状に成形加工したフレキシビリティに富んだコルゲートパイプなどを用いている。これにより、居住空間の快適性を確保している。
【００６２】
（第４の実施形態）
図１３は、他の例を示すものであり、プレキャストボックスカルバートの連結体１０に収納体としてのユニットハウスを装着した状態の平面図である。
本例の連結体１０と収納体２０を用いたユニット式建物Ｂは、収納体２０として連結体１０の中空部１２に収納体としてのユニットハウスを配設したものと、連結体１０の中空部１２に建築用パネル２１を配設したものとを組み合わせた構成となっている。このような構成とすることにより、パネル２１を使用した空間を、トイレ・バス・ランドリー・キッチン等、あるいは、発電機、水タンク、灯油タンク等を置く倉庫・貯蔵庫として利用することができる。
【００６３】
（第５の実施形態）
図１４は、更に他の例を示すものであり、プレキャストボックスカルバートの連結体１０に収納体としてのユニットハウスを装着した状態の平面図である。
本例の連結体１０と収納体２０を用いたユニット式建物Ｂは、単函１１を水平方向に連設して、複数家族で使用可能な住居ユニットを構成しており、本例では、十字型になるように構成されているが、これに限定されるものではなく、Ｌ型、Ｔ型、コ型、ロ型等バリエーションは多様である。
【００６４】
本例の十字型は、前記実施例で述べた連結体１０の中空部１２に収納体２０として連結体１０の中空部１２に収納体としてのユニットハウスを配設したものと、連結体１０の中空部１２に建築用パネル２１を配設したものとを組み合わせた構成となっており、十字中心部は、図１５に示すように、共用スペースとして使用されるように床・天井のみがコンクリート板で、４本のコンクリート柱８１によって支えられ、４側面が開口して、連結体１０と接続出来るプレキャストボックスカルバート（以下「接続用函」と言う）８０を用いている。また、この接続用函８０を２函接続して、より広い共用スペースを設ける構成としてもよい。この接続用函８０は、用途に応じて開口部とコンクリート板の数を増減し、位置を変えて使用することも可能である。なお、連結体１０を組み合わせたときの全体の剛性は極めて高く、地震・強風による振動・移動・転倒・地盤の不当沈下による傾斜などは発生しない。
【００６５】
（第６の実施形態）
図１６は、さらに他の実施形態に係るユニット式建物を既存の居住建物に接続した例を示す斜視図である。
本例の連結体１０と収納体２０を用いたユニット式建物Ｂは、本来使用している家Ｈの玄関に繋げる形で配設されている。
このように構成すると、豪雪地域において玄関を開けた時に雪が入り込んでくるのを防ぐことができ、また、雪荷重や地震により家屋が崩壊する危険が発生した場合に緊急避難所として使用することができる。
【００６６】
（第７の実施形態）
図１７は、他の実施形態に係るプレキャストボックスカルバートと収納体２０を用いたユニット式建物の斜視図である。本例では、豪雪地帯において、積雪が数メートルになるような地域で活用することを想定しているものである。すなわち、豪雪時は、連結体１０、接続用函８０の横方向からの出入り、給排気、換気が不可能になる恐れがあるので、その場合には、４側面が開口した接続用函８０の開口部の所望箇所にコンクリート板を取り付けて側壁を形成し、上面コンクリート板を外し、その上部に予想積雪量に合わせて単函１１を垂直に２〜４函組み、垂直方向に形成された中空部１２に、給排気・換気用煙突８４やダクト（不図示）を配設することにより給排気、換気が可能となる。また、中空部１２には住民の出入りを可能とするためのはしご等を取付けることが可能である。なお、単函１１の最上部には出入り口用の開口部８２が形成された蓋８３が取付けられている。
【図面の簡単な説明】
【００６７】
【図１】本発明の一実施形態に係るプレキャストボックスカルバートと収納体を用いたユニット式建物の斜視図である。
【図２】図１に用いられるプレキャストボックスカルバートの単函の斜視図である。
【図３】図２のプレキャストボックスカルバートを複数個連結した連結体の斜視図である。
【図４】プレキャストボックスカルバートの連結部分を示す説明図である。
【図５】プレキャストボックスカルバートの連結体に収納体を装着する説明図である。
【図６】プレキャストボックスカルバートの連結体に収納体を装着する工程の説明図である。
【図７】エアージャッキの説明図である。
【図８】ユニット式建物の図１のＡ−Ａ断面図である。
【図９】別の例を示す図８と同様な断面図である。
【図１０】プレキャストボックスカルバートの連結例を示した説明図である。
【図１１】他の実施形態に係るプレキャストボックスカルバートと収納体を用いたユニット式建物の図１のＡ−Ａ断面に相当する断面図である。
【図１２】他の実施形態の図１１と同様な断面図である。
【図１３】プレキャストボックスカルバートの連結体に収納体としてのユニットハウスを装着した状態の平面図である。
【図１４】他の実施形態の図１３と同様な平面図である。
【図１５】図１４に用いられた接続用函の説明図である。
【図１６】他の実施形態に係るユニット式建物を既存の居住建物に接続した例を示す斜視図である。
【図１７】他の実施形態に係るプレキャストボックスカルバートと収納体を用いたユニット式建物の斜視図である。
【符号の説明】
【００６８】
１０‥連結体
１１‥単函
１１ａ‥切欠孔
１１ｂ‥金具
１１ｃ‥ボルト
１１ｄ‥ナット
１２‥中空部
２０‥収納体
２１‥パネル
３０‥空気層
３１‥断熱材
３２‥空調ダクト
３３‥電線保護管
３４‥給水・汚水用パイプ
４０‥エアージャッキ（緩衝手段）
５０‥流体キャスター
５１‥板部材
５２‥軌道面
６０‥台座
７０‥開口部
８０‥接続用函
８１‥柱
Ｂ‥ユニット式建物
Ｄ‥ドア
Ｈ‥家
Ｐ‥カバープレート
Ｗ‥窓
【図１】
2007277962.tif 000003
【図２】
2007277962.tif 000004
【図３】
2007277962.tif 000005
【図４】
2007277962.tif 000006
【図５】
2007277962.tif 000007
【図６】
2007277962.tif 000008
【図７】
2007277962.tif 000009
【図８】
2007277962.tif 000010
【図９】
2007277962.tif 000011
【図１０】
2007277962.tif 000012
【図１１】
2007277962.tif 000013
【図１２】
2007277962.tif 000014
【図１３】
2007277962.tif 000015
【図１４】
2007277962.tif 000016
【図１５】
2007277962.tif 000017
【図１６】
2007277962.tif 000018
【図１７】
2007277962.tif 000019
【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
仮設住宅として使用されると共に使用後には再利用することが可能なプレキャストボックスカルバートの利用方法であって、
前記プレキャストボックスカルバートを所定位置に移動するプレキャストボックスカルバート移動工程と、
プレキャストボックスカルバート移動工程により所定位置に配置された前記プレキャストボックスカルバートを複数個連結するプレキャストボックスカルバート連結工程と、
前記複数個連結されたプレキャストボックスカルバートの中空部に居住空間を形成する収納体を搬入して装着させる収納体装着工程と、
前記再利用するときには、前記複数個連結されたプレキャストボックスカルバートの中空部から前記収納体を運び出す収納体搬出工程と、
前記複数個連結されたプレキャストボックスカルバートを分離させるプレキャストボックスカルバート分離工程と、
分離された前記プレキャストボックスカルバートを搬送するプレキャストボックスカルバート搬送工程と、を含み、
前記プレキャストボックスカルバート搬送工程によって搬送された前記プレキャストボックスカルバートは、他のプレキャストボックスカルバートとの連結部を除いて一切の加工が行われておらず、ボックスカルバートとして再利用されることを特徴とした仮設住宅に用いられるプレキャストボックスカルバートの利用方法。
【請求項２】
前記収納体装着工程では、流体キャスターを用いて、前記収納体が、前記プレキャストボックスカルバートとの間の少なくとも３方に空気層が設けられるように配設されることを特徴とした請求項１記載の仮設住宅に用いられるプレキャストボックスカルバートの利用方法。
【請求項３】
前記収納体装着工程では、前記収納体を前記プレキャストボックスカルバートと前記収納体との間に設けられた緩衝手段によって固定することを特徴とした請求項２記載の仮設住宅に用いられるプレキャストボックスカルバートの利用方法。
【請求項４】
前記収納体装着工程では、前記収納体を前記プレキャストボックスカルバートの内部底面に配設された台座上に載置させ、前記収納体の上面にも台座を設け、前記収納体の上面に設けられた台座と前記収納体との間に前記緩衝手段としてのエアージャッキを設け、該エアージャッキに空気又は窒素ガスを充填させて前記収納体を固定することを特徴とした請求項３記載の仮設住宅に用いられるプレキャストボックスカルバートの利用方法。
【請求項５】
前記収納体装着工程では、前記プレキャストボックスカルバートの内部底面に配設された前記台座と前記収納体との間に前記エアージャッキを設け、該エアージャッキに空気又は窒素ガスを充填させて前記収納体を上下方向から固定することを特徴とした請求項４記載の仮設住宅に用いられるプレキャストボックスカルバートの利用方法。
【請求項６】
前記収納体装着工程では、前記収納体を前記緩衝手段によって固定した後に、前記複数個連結されたプレキャストボックスカルバートの端部側に位置する開口部を前記収納体に形成されたドア部および／または窓部の位置に相当する部分に開口部が形成されたカバープレートで塞ぐことを特徴とした請求項３記載の仮設住宅に用いられるプレキャストボックスカルバートの利用方法。
【手続補正２】
【補正対象書類名】明細書
【補正対象項目名】全文
【補正方法】変更
【補正の内容】
【発明の詳細な説明】
【技術分野】
【０００１】
本発明は仮設住宅に用いられるプレキャストボックスカルバートの利用方法に係り、特に地震・余震・豪雪・火山噴火・暴風・土石流などの過酷な自然環境にも耐えられる仮設住宅として使用されると共に使用後には再利用することが可能な仮設住宅に用いられるプレキャストボックスカルバートの利用方法に関する。
【背景技術】
【０００２】
従来、我国の仮設住宅はユニットハウス単体、もしくは複数をつなぎ合せて３０〜５０家族が集団で利用するようになっている。これらは、自然災害で家を失ったり、居住地域が危険地域に指定された場合に、その地域の住民が利用するというのが通例である。
しかし、これらユニットハウス仮設住宅は、防音・防熱、強度等に対する対応が十分になされておらず、地震・余震・豪雪・火山噴火・暴風・土石流などの過酷な自然環境に対して十分な安全性を保証するものではないため、被災地からかなり離れた一定以上の面積のある場所に、多数の被災者を収容する目的で建設されていた。また、ユニットハウスの強度を上げる場合には補強工事・大幅な仕様変更など莫大なコストがかかると共に、仕様変更されたユニットハウスについては短期間のリース・レンタルにおいて問題が生じる可能性があった。
【０００３】
そこで、従来、堅牢で天災に強いユニットハウスが提案されている（例えば、特許文献１，２参照）。
特許文献１では、落石や土砂崩れ、台風等の自然災害が多発する地域において用いることができるユニットハウスが提案されている。この特許文献１に記載のユニットハウスは、床フレーム、柱、屋根フレーム等の全体が鉄骨構造を成しており、さらに、屋根及び外壁のパネルを鉄板にて設けた構成とされている。
【０００４】
また、特許文献２では、火事や地震等の天災に強いユニットハウスが提案されている。この特許文献２に記載のユニットハウスは、コンクリート四角筒体の組み合わせから成り、各筒体コンクリートをレール上を滑走させることにより移動させ、ボルトによって螺着される構成となっている。
【０００５】
【特許文献１】実用新案登録第３１０９８３９号公報
【特許文献２】実開平０６−０３２６０５号公報
【発明の開示】
【発明が解決しようとする課題】
【０００６】
しかしながら、特許文献１に記載のユニットハウスでは、屋根に用いられた鉄板の厚さを９ｍｍ〜１５ｍｍの範囲を適当としており、豪雪地域での雪荷重に耐えるだけの強度を維持することが困難であった。また、免震機能を備えていないため、余震の続く震災地での使用には適さないという不都合があった。屋根に用いられた鉄板の厚さを災害等のレベルにより変更することも可能である旨記載されているが、このようにすると莫大なコストがかかってしまうという問題が生じる。
【０００７】
また、特許文献２に記載のユニットハウスでは、コンクリートを使用することによる強度効果は得られるが、免震機能を備えていないため、余震の続く震災地での使用には適さないという不都合があった。また、特許文献２に記載のユニットハウスは、単に筒体コンクリートを組み合わせたものであり、防音、防熱等の生活環境に対する対応がなされておらず、被災地での仮設住宅としては適さないという問題があった。
【０００８】
本発明の目的は、予期しない荷重等にも耐えることが可能であり、防音・防熱、強度等に対する対応が十分で、地震・余震・豪雪・火山噴火・暴風・土石流等の過酷な自然環境にも十分対応可能な仮設住宅に用いられるプレキャストボックスカルバートの利用方法を提供することにある。
【０００９】
また、本発明の他の目的は、使用するプレキャストボックスカルバートに傷を付けず、使用後のプレキャストボックスカルバートを再利用することが可能な仮設住宅に用いられるプレキャストボックスカルバートの利用方法を提供することにある。
【課題を解決するための手段】
【００１０】
前記課題は、請求項１の仮設住宅に用いられるプレキャストボックスカルバートの利用方法によれば、仮設住宅として使用されると共に使用後には再利用することが可能なプレキャストボックスカルバートの利用方法であって、前記プレキャストボックスカルバートを所定位置に移動するプレキャストボックスカルバート移動工程と、プレキャストボックスカルバート移動工程により所定位置に配置された前記プレキャストボックスカルバートを複数個連結するプレキャストボックスカルバート連結工程と、前記複数個連結されたプレキャストボックスカルバートの中空部に居住空間を形成する収納体を搬入して装着させる収納体装着工程と、前記再利用するときには、前記複数個連結されたプレキャストボックスカルバートの中空部から前記収納体を運び出す収納体搬出工程と、前記複数個連結されたプレキャストボックスカルバートを分離させるプレキャストボックスカルバート分離工程と、分離された前記プレキャストボックスカルバートを搬送するプレキャストボックスカルバート搬送工程と、を含み、前記プレキャストボックスカルバート搬送工程によって搬送された前記プレキャストボックスカルバートは、他のプレキャストボックスカルバートとの連結部を除いて一切の加工が行われておらず、ボックスカルバートとして再利用されること、により解決される。
【００１１】
このように、本発明の仮設住宅に用いられるプレキャストボックスカルバートの利用方法では、プレキャストボックスカルバートを複数個連結させて、その中空部に収納体を装着することにより、雪荷重や振動等の衝撃に耐えることが可能な仮設住宅を得ることができる。また、プレキャストボックスカルバートには他のプレキャストボックスカルバートとの連結部を除いて一切の加工が行われておらず、ボックスカルバートとして再利用することが可能である。
【００１２】
このとき、請求項２のように、前記収納体装着工程では、流体キャスターを用いて、前記収納体が、前記プレキャストボックスカルバートとの間の少なくとも３方に空気層が設けられるように配設されると好適である。このように構成すると、空気層が設けられることにより防音、断熱等の効果を得ることができる。
【００１３】
また、請求項３のように、前記収納体装着工程では、前記収納体を前記プレキャストボックスカルバートと前記収納体との間に設けられた緩衝手段によって固定すると好適である。
【００１４】
さらに、請求項４のように、前記収納体装着工程では、前記収納体を前記プレキャストボックスカルバートの内部底面に配設された台座上に載置させ、前記収納体の上面にも台座を設け、前記収納体の上面に設けられた台座と前記収納体との間に前記緩衝手段としてのエアージャッキを設け、該エアージャッキに空気又は窒素ガスを充填させて前記収納体を固定すると好適である。このように構成すると、収納体を上面から押圧して確実に固定することができ、さらに緩衝手段としてのエアージャッキが免震手段として作用する。
【００１５】
また、請求項５のように、前記収納体装着工程では、前記プレキャストボックスカルバートの内部底面に配設された前記台座と前記収納体との間に前記エアージャッキを設け、該エアージャッキに空気又は窒素ガスを充填させて前記収納体を上下方向から固定すると好適である。このように構成すると、収納体に傷が付くのを防げると共に、収納体を２方からエアージャッキによって押さえることにより地震・余震に対してその揺れを吸収する免震装置としての機能を持たせることが可能となる。
【００１６】
さらに、請求項６のように、前記収納体装着工程では、前記収納体を前記緩衝手段によって固定した後に、前記複数個連結されたプレキャストボックスカルバートの端部側に位置する開口部を前記収納体に形成されたドア部および／または窓部の位置に相当する部分に開口部が形成されたカバープレートで塞ぐようにすると、居住性や通行、風通しなどを良好にすることが可能となる。
【発明の効果】
【００１７】
本発明の仮設住宅に用いられるプレキャストボックスカルバートの利用方法によれば、プレキャストボックスカルバートを複数個連結させ、その中空部に収納体を配設しているため、雪荷重や振動等の衝撃に耐えることができ、防音、防熱等の効果を有する仮設住宅を得ることができる。これにより、地震・余震・豪雪・火山噴火・暴風・土石流等の過酷な自然環境でも使用することが可能となる。
【００１８】
さらに、プレキャストボックスカルバートには他のプレキャストボックスカルバートとの連結部を除いて一切の加工が行われていないため、プレキャストボックスカルバートを本来の使用目的であるボックスカルバートへ再利用することが可能であり、さらに、コンクリート製品であるプレキャストボックスカルバートは劣化する心配がなく長時間使用・保管する事が可能なため、リース・レンタル方式が可能となり、自治体等使用者のコスト負担を最小限に抑えることが可能となる。
【発明を実施するための最良の形態】
【００１９】
以下、本発明の一実施形態を図面に基づいて説明する。なお、以下に説明する部材，配置等は本発明を限定するものでなく、本発明の趣旨の範囲内で種々改変することができるものである。
図は本発明の実施形態を示すものであり、図１はプレキャストボックスカルバートと収納体を用いた仮設住宅の斜視図、図２は図１に用いられるプレキャストボックスカルバートの単函の斜視図、図３は図２のプレキャストボックスカルバートを複数個連結した連結体の斜視図、図４はプレキャストボックスカルバートの連結部分を示す説明図、図５はプレキャストボックスカルバートの連結体に収納体を装着する説明図、図６はプレキャストボックスカルバートの連結体に収納体を装着する工程の説明図である。図７はエアージャッキの説明図、図８は仮設住宅の図１のＡ−Ａ断面図、図９は別の例を示す図８と同様な断面図、図１０はプレキャストボックスカルバートの連結例を示した説明図である。
【００２０】
本発明の仮設住宅に用いられるプレキャストボックスカルバートの利用方法は、プレキャストボックスカルバートを複数個連結させ、その中空部に収納体を配設して仮設住宅とし、使用後にはプレキャストボックスカルバートを本来の使用目的であるボックスカルバートへ再利用できるようにしたものである。
本発明に係る仮設住宅Ｂは、プレキャストボックスカルバート１１と、収納体２０と、を主たる構成要素としている。
本例のプレキャストボックスカルバート（以下「単函」という）１１と収納体２０を用いた仮設住宅Ｂは、複数個連結されたプレキャストボックスカルバート（以下、「連結体」という）１０の中空部１２に、収納体２０が連結体（プレキャストボックスカルバートが複数個連結）１０との間の４方に空気層３０が設けられるように配設されている。
【００２１】
本例では、単函（又はプレキャストボックスカルバート）１１として、図２に示すように現在ボックスカルバートに代表されて使用されている方形のものを使用している。方形の単函１１を使用することによって、地盤造成工事を行なう必要がなくなり、さらに、安定性がもたらされる。
【００２２】
単函１１は、断面のサイズを自由自在に形成することができ、一般的にはコンクリートの厚みは一定で、十分な防音・断熱効果を維持し、外力に対する強度は、主として鉄筋のサイズ・本数により調整される。
【００２３】
また、自然災害による住民の避難用仮設住宅は、その性格上迅速に設置され、かつ固定設備でなくリース・レンタルが可能なものでなくてはならないが、単函１１は長期間工場に保管し、いざというときに迅速に出荷することが可能である。
【００２４】
単函１１の長さは、現場への輸送トラックの積載荷重・荷下ろし・据付時のクレーン吊り能力によって決められる。一般的に１〜２ｍのものが多いが、標準ユニットハウスのサイズから判断して、本例では断面内サイズが２８００（横）×２８００（縦）×１０００（深さ）〔ｍｍ〕、コンクリート部の肉厚が２２０〜２４０〔ｍｍ〕の標準型を１例として説明する。なお、単函１１のサイズはこれに限定されるものではない。
【００２５】
本例に用いた単函１１の自重は約７トンであり、１５トン車で２函ずつ設置現場に運ばれ、吊り能力２５〜３５トンクラスのクレーンで荷下ろし・組立・据付を行う。
【００２６】
図３に示すように、単函１１は中空部１２が水平方向に連通するように複数個配設され、各々の接続面で連結手段によって連結（接続）される。連結（接続）は、公知の連結手段によって行われればよく、図４に示すように、本例では、単函１１の４隅に切欠孔１１ａ...を形成し、連結用の金具１１ｂとボルトナット１１ｃ，１１ｄによって螺着している。なお、連結（接続）は、ボルトナットに限らず、単函１１を継ぎ手で行う技術、ＰＣ鋼材の緊締により行う技術、ワンタッチ・ジョイントによる接続で行う技術等で固定することが可能である。また、単函１１と単函１１の接続部は、現在公知のボックスカルバートの設置工事で採用されている防水処置をおこなうことにより、豪雨・豪雪によって連結体１０の内部に水が入ることはない。
【００２７】
なお、連結する単函１１の数は、連結体１０内に配設される収納体２０の大きさや、組み合わせによって決められ、中空部１２に配設される収納体２０としては、既存のユニットハウス等を使用すればよい。
【００２８】
本例の図５で例示した収納体２０の寸法形状は２２４０（横）×２５６０（縦）×３８４５（深さ）〔ｍｍ〕、自重が７６０〔ｋｇ〕であるが、これに限定されるものではない。また、複数の収納体２０を組み合わせて使用してもよく、その場合には、図１０に示すように単函１１を所望数だけ連結して使用する。
【００２９】
次に、収納体２０を連結体１０の中空部１２に搬入して装着させる方法について説明する。本例では、収納体２０を連結体１０の中空部１２に搬入する方法として、流体キャスター５０を使用した例を示す。
図６に示すように、連結体１０の底面端部には、流体キャスター５０による収納体２０の移動が可能となるように、連結体１０から外側に向けて低くなるように傾斜した板部材５１が設置される。
【００３０】
本例の流体キャスター５０としては、エアキャスターを用いているが、流体キャスター５０としてはウオーターキャスターを用いてもよい。このときに、流体キャスター５０の移動範囲にスキッド面としての軌道面５２を形成する。本例では軌道面５２として、薄いトタン板を敷設しているが、トタン板に限らず、コンクリート面が十分に円滑になるようなフィルム等を敷設するように構成することもできる。なお、本例では特許第３２９４１８６号に記載の流体キャスターを使用している。
【００３１】
軌道面５２上で、収納体２０の底面４隅に流体キャスター５０を装着して配置し、３ｋｇ／ｃｍ２前後のエアーを供給することで３／１０００〜１０／１０００程度の摩擦力、即ち約８ｋｇの押・引力で移動させることが可能となる。また、流体キャスター５０を用いることにより、収納体２０を組み合わせる構成として自重が約２トンとなる場合でも、約２０ｋｇの押・引力で移動させることが可能であり、作業員１〜２名で移動させることが可能となる。
【００３２】
流体キャスター５０で収納体２０を連結体１０の内部に搬入した後、流体キャスター５０への空気供給を止め、収納体２０を連結体１０の内部底面に配設された台座６０に乗せ、流体キャスター５０を引き抜いて外す。本例では、台座６０が収納体２０の底面４隅に当たるように設置されている。
【００３３】
これにより、収納体２０は連結体１０を構成する各単函１１との間の上下左右４方に空気層３０が設けられるように配設される。このように、空気層３０を設けることにより、防音・断熱の効果を得ることが可能となる。
【００３４】
なお、台座を設けずに、収納体２０と連結体１０との間の上左右３方に空気層３０ができるように構成してもよい。
【００３５】
図８に示すように、空気層３０には、収納体２０を固定するための緩衝手段が配設される。本例では、緩衝手段として、エアージャッキ４０を用いている。台座６０を収納体２０の上面４隅に当たるように配設し、それぞれにエアージャッキ４０を挟み、５〜７Ｋｇ／ｃｍ２の空気又は窒素ガスを充填し、収納体２０を上面４隅から押圧して、確実に固定する。エアージャッキ４０は伸縮幅があるため、免震手段を備えている。
【００３６】
図７に示すようにエアージャッキ４０は、圧力調整器４２とコントロールボックス４１を備えており、各エアージャッキ４０には空気ボンベまたは窒素ボンベより圧力調整弁を介して所定圧力の空気又は窒素ガスが供給され、気温の変化、漏れ等により所定の圧力より下がった場合は自動的に所定の圧力まで充気できるシステムとしている。台座６０、エアージャッキ４０は、現地の状況をみて、必要ならば側面にも取り付けられる。これにより、収納体２０をしっかりと固定することができる。
【００３７】
エアージャッキ４０の性能は多種あるが、地震時に収納体２０に作用する外力から判断し、本例で使用されるものの１例として、サイズが約２５０ｍｍ×２５０ｍｍ×２２ｍｍ、容量０〜４．４トン、揚程０〜１２５ｍｍ、必要空気または窒素ガス量２２リットルのエアージャッキ４０が挙げられる。
【００３８】
なお、緩衝手段は、エアージャッキ４０に限定されるものではなく、地震対策用ストッパー等を用いることも可能である。また、緩衝手段の配置位置や個数もこれに限定されるものではなく、収納体２０の上下左右、どの面に当たるように配設してもよい。
【００３９】
また、図９に示すように、この空気層３０には、断熱材３１、空調ダクト３２、電線保護管３３、給水・汚水用パイプ３４等が配設される。このように、収納体２０と連結体１０との間の少なくとも３方に空気層３０が設けられることにより、防音・防熱効果を得ることができ、さらに、上述したように、空気層３０を断熱材３１、空調ダクト３２、電線保護管３３、給水・汚水用パイプ３４等の配設空間として使用することができる。
【００４０】
また、連結体１０の端部側に位置する開口部、多くは両端の開口部は採光・換気・出入り口として利用できるように、連結体１０内部に配設される収納体２０に形成されたドア部および／または窓部の位置に相当する部分に開口部７０が形成されたコンクリート製のカバープレートＰを配設して塞ぐように構成されている（図１，図５）。なお、本例のカバープレートＰには、ダクトや電線保護管、給水・汚水用パイプ等が通る開口部７１も形成されている。
【００４１】
単函１１の上・下・側壁のコンクリート板には、採光用、換気用、出入り口用、配管・配線・ダクト用の穴加工は行わず、連結体１０と収納体２０の間隙並びにカバープレートＰの部分のみを加工して、利用する。このような構成とすることにより、単函１１をプレキャストボックスカルバートの本来の使用目的であるボックスカルバートへ再利用することが可能となる。
【００４２】
一般に、単函１１及び連結体１０全体の剛性は極めて高く、地震・強風による振動・移動・転倒・地盤の不当沈下による傾斜などは発生しない。通常連結体１０の上方からの圧縮に対する強度は、地下３ｍでの埋設、地上で１トン／ｍ２の輪荷重のトラックの走行に耐えるように設計されている。土の比重を１．８トンとすると深さ３ｍの土荷重は５．４トンとなり、輪荷重１トンを加えると６．４トン／ｍ２に耐える事ができ、すなわち、６．４ｍの積雪に耐えることが可能である。
【００４３】
従来のユニットハウスによる仮設住宅・避難施設は、被災地からかなり離れた一定以上の面積のある場所に、多数の被災者を収容する目的で建設されていたが、本例では雪荷重や振動等の衝撃に強い単函１１（及び連結体１０）の中空部１２に、収納体２０を配設した構成とすることによって、危険地帯の住民や事業者が自宅や事業所の側に設置して、一時的に危険を回避するために使用することが可能となる。
【００４４】
さらに、連結体１０全体の剛性が高いので、従来行っていたような地盤造成工事（基礎工事などを含む）や風荷重対策としてのワイヤーによるラッシング、災害等のレベルに合わせた補強工事・大幅な仕様変更を行う必要がなく、コストを低減することが可能となる。また、プレキャストボックスカルバートはメーカーが点在しており、日本全国どこでも手に入れることが可能である。  
【００４５】
また、所定の目的を終了し、これらの単函１１（及び連結体１０）と収納体２０を用いた仮設住宅Ｂを解体し、他の場所に移動するときは、組み立ての全く逆の作業を行えばよい。例えば、カバープレートＰ取り外し→配管・配線・ダクト類、緩衝手段取り外し→流体キャスター５０にて収納体２０移動→連結体１０の接続ボルト取り外し→単函１１に分離→クレーンにてトラックに乗せて移動するなど、流体キャスターを利用することにより、解体作業も人力で行うことが可能となり、大がかりな装置を必要としない。
【００４６】
使用後分離された単函１１は、他のプレキャストボックスカルバートとの連結部を除いて何ら傷を付けておらず、プレキャストボックスカルバートの本来の使用目的であるボックスカルバートへ再利用することが可能となっている。また、コンクリート製品なので劣化する心配がなく長時間使用・保管する事が可能なため、リース・レンタル方式が可能となり、自治体等の使用者へのコスト負担を最小限に押さえることができる。
【００４７】
また、収納体２０としてユニットハウス等の出荷が間に合わない場合は、連結体１０の中で建築用パネル２１を組立てて居住設備とすることも可能である。むしろこの方が床面積をより効率的に増やすことができ、コストも安価となる。本例では、プレキャストボックスカルバートを用いることで、自然外力は全て連結体１０が負担するため、パネル２１以外の強度部材は不要となり、このような構成とすることが可能となる。
【００４８】
図１１乃至図１７は、他の実施例及び参考例に係るプレキャストボックスカルバートと収納体を用いた仮設住宅を説明する図であり、図１１はプレキャストボックスカルバートと収納体を用いた仮設住宅の図１のＡ−Ａ断面に相当する断面図、図１２は更に他の実施形態の図１１と同様な断面図、図１３はプレキャストボックスカルバートの連結体１０に収納体としてのユニットハウスと建築用パネルを配設した状態の平面図、図１４は他の参考例の図１３と同様な平面図、図１５は図１４に用いられた接続用函の説明図、図１６は他の参考例に係る仮設住宅を既存の居住建物に接続した例を示す斜視図、図１７は他の参考例に係るプレキャストボックスカルバートと収納体を用いた仮設住宅の斜視図である。
これらの各実施例において、前記実施例と同一部材には、同一符号を付してその説明を省略する。
【００４９】
（第２の実施形態）
図１１は他の実施形態に係るプレキャストボックスカルバートと収納体を用いた仮設住宅の図１のＡ−Ａ断面に相当する断面図であり、本例では連結体１０と収納体２０を用いた仮設住宅において、収納体２０を固定するための緩衝手段が収納体２０の外側上下面に配設された例を示すものである。なお、緩衝手段には前記実施例と同様、エアージャッキ４０を使用している。
【００５０】
本例ではこのような構成とするため、流体キャスター５０で収納体２０を連結体１０の内部に搬入した後、流体キャスター５０への空気供給を止め、収納体２０を連結体１０の内部底面に配設された台座６０に乗せ、流体キャスター５０を引き抜いて外す。台座６０は収納体２０の上面にも配設されて、連結体１０の内部底面に配設された台座６０と収納体２０の上面に配設された台座６０のそれぞれにエアージャッキ４０を挟み込んで、５〜７Ｋｇ／ｃｍ２の空気又は窒素ガスを充填し、収納体２０を上面及び底面からしっかりと固定する。なお、台座６０は収納体２０の上面・底面の４隅に当たるように設置されている。これにより、連結体１０と収納体２０の間には左右に各々２８０ｍｍ、上下各々１２０ｍｍの空間が出来る。なお、台座６０、エアージャッキ４０は、連結体（プレキャストボックスカルバート）１０と収納体２０を用いた仮設住宅の据付現場における状況をみて、必要ならば側面にも取り付けられる。
【００５１】
このように、本例では伸縮幅のあるエアージャッキ４０を収納体２０の上面と底面に配設しているため、地震・余震に対してその揺れを吸収する免震装置としての機能を持たせることが可能となる。
また、エアージャッキ４０のシステムや性能については前記実施例と同様のため説明を省略する。
【００５２】
（第３の実施形態）
図１２は他の実施形態に係るプレキャストボックスカルバートと収納体を用いた仮設住宅の図１のＡ−Ａ断面に相当する断面図である。図１２で示す例では、収納体２０を固定するための緩衝手段が収納体２０の外側上下面に配設されており、さらに単函１１（及び連結体１０）と、その中に配置される収納体２０との間の空間（空気層３０）を利用して、収納体２０の周囲に、断熱材３１を配置している。またこの空間（空気層３０）を利用して、断熱材３１の他に、空調ダクト３２、給水・汚水用パイプ３４、電線保護管３３を含む収納体関連部材を配設している。本例では、空調ダクト３２、給水・汚水用パイプ３４、電線保護管３３は、ポリエチレン樹脂をコルゲート状に成形加工したフレキシビリティに富んだコルゲートパイプなどを用いている。これにより、居住空間の快適性を確保している。
【００５３】
図１３は、他の参考例を示すものであり、プレキャストボックスカルバートの連結体１０に収納体としてのユニットハウスと建築用パネルを配設した状態の平面図である。
本例の連結体１０と収納体２０を用いた仮設住宅Ｂは、収納体２０として連結体１０の中空部１２に収納体としてのユニットハウスを配設したものと、連結体１０の中空部１２に建築用パネル２１を配設したものとを組み合わせた構成となっている。このような構成とすることにより、パネル２１を使用した空間を、トイレ・バス・ランドリー・キッチン等、あるいは、発電機、水タンク、灯油タンク等を置く倉庫・貯蔵庫として利用することができる。
【００５４】
図１４は、更に他の参考例を示すものであり、プレキャストボックスカルバートの連結体１０に収納体としてのユニットハウスと建築用パネルを装着した状態の平面図である。本例の仮設住宅Ｂは、単函１１を水平方向に連設して、複数家族で使用可能な住居ユニットを構成しており、本例では、十字型になるように構成されているが、これに限定されるものではなく、Ｌ型、Ｔ型、コ型、ロ型等バリエーションは多様である。
【００５５】
本例の十字型は、前記実施例で述べた連結体１０の中空部１２に収納体２０として連結体１０の中空部１２に収納体としてのユニットハウスを配設したものと、連結体１０の中空部１２に建築用パネル２１を配設したものとを組み合わせた構成となっており、十字中心部は、図１５に示すように、共用スペースとして使用されるように床・天井のみがコンクリート板で、４本のコンクリート柱８１によって支えられ、４側面が開口して、連結体１０と接続出来るプレキャストボックスカルバート（以下「接続用函」と言う）８０を用いている。また、この接続用函８０を２函接続して、より広い共用スペースを設ける構成としてもよい。この接続用函８０は、用途に応じて開口部とコンクリート板の数を増減し、位置を変えて使用することも可能である。なお、連結体１０を組み合わせたときの全体の剛性は極めて高く、地震・強風による振動・移動・転倒・地盤の不当沈下による傾斜などは発生しない。
【００５６】
図１６は、さらに他の参考例に係る仮設住宅を既存の居住建物に接続した例を示す斜視図である。
本例の連結体１０と収納体２０を用いた仮設住宅Ｂは、本来使用している家Ｈの玄関に繋げる形で配設されている。
このように構成すると、豪雪地域において玄関を開けた時に雪が入り込んでくるのを防ぐことができ、また、雪荷重や地震により家屋が崩壊する危険が発生した場合に緊急避難所として使用することができる。
【００５７】
図１７は、他の参考例に係るプレキャストボックスカルバートと収納体２０を用いた仮設住宅の斜視図である。本例では、豪雪地帯において、積雪が数メートルになるような地域で活用することを想定しているものである。すなわち、豪雪時は、連結体１０、接続用函８０の横方向からの出入り、給排気、換気が不可能になる恐れがあるので、その場合には、４側面が開口した接続用函８０の開口部の所望箇所にコンクリート板を取り付けて側壁を形成し、上面コンクリート板を外し、その上部に予想積雪量に合わせて単函１１を垂直に２〜４函組み、垂直方向に形成された中空部１２に、給排気・換気用煙突８４やダクト（不図示）を配設することにより給排気、換気が可能となる。また、中空部１２には住民の出入りを可能とするためのはしご等を取付けることが可能である。なお、単函１１の最上部には出入り口用の開口部８２が形成された蓋８３が取付けられている。
【図面の簡単な説明】
【００５８】
【図１】本発明の一実施形態に係るプレキャストボックスカルバートと収納体を用いた仮設住宅の斜視図である。
【図２】図１に用いられるプレキャストボックスカルバートの単函の斜視図である。
【図３】図２のプレキャストボックスカルバートを複数個連結した連結体の斜視図である。
【図４】プレキャストボックスカルバートの連結部分を示す説明図である。
【図５】プレキャストボックスカルバートの連結体に収納体を装着する説明図である。
【図６】プレキャストボックスカルバートの連結体に収納体を装着する工程の説明図である。
【図７】エアージャッキの説明図である。
【図８】仮設住宅の図１のＡ−Ａ断面図である。
【図９】別の例を示す図８と同様な断面図である。
【図１０】プレキャストボックスカルバートの連結例を示した説明図である。
【図１１】他の実施形態に係るプレキャストボックスカルバートと収納体を用いた仮設住宅の図１のＡ−Ａ断面に相当する断面図である。
【図１２】他の実施形態の図１１と同様な断面図である。
【図１３】プレキャストボックスカルバートの連結体に収納体としてのユニットハウスと建築用パネルを配設した状態の平面図である。
【図１４】他の参考例の図１３と同様な平面図である。
【図１５】図１４に用いられた接続用函の説明図である。
【図１６】他の参考例に係る仮設住宅を既存の居住建物に接続した例を示す斜視図である。
【図１７】他の参考例に係るプレキャストボックスカルバートと収納体を用いた仮設住宅の斜視図である。
【符号の説明】
【００５９】
１０‥連結体
１１‥単函
１１ａ‥切欠孔
１１ｂ‥金具
１１ｃ‥ボルト
１１ｄ‥ナット
１２‥中空部
２０‥収納体
２１‥パネル
３０‥空気層
３１‥断熱材
３２‥空調ダクト
３３‥電線保護管
３４‥給水・汚水用パイプ
４０‥エアージャッキ
５０‥流体キャスター
５１‥板部材
５２‥軌道面
６０‥台座
７０‥開口部
８０‥接続用函
８１‥柱
Ｂ‥仮設住宅
Ｄ‥ドア
Ｈ‥家
Ｐ‥カバープレート
Ｗ‥窓
【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
使用されるプレキャストボックスカルバートを再利用することが可能なプレキャストボックスカルバートと収納体を用いた仮設住宅において、
前記プレキャストボックスカルバートは、他のプレキャストボックスカルバートとの連結部を除いて一切の加工が行われていないものであって、
複数個連結されるプレキャストボックスカルバートと、該プレキャストボックスカルバートの中空部に装着される収納体と、を備え、
該収納体は、前記プレキャストボックスカルバートの内部底面に配設された台座上に載置されると共に、前記収納体の上面に設けられた台座と前記収納体との間に設けられたエアージャッキに空気又は窒素ガスを充填して固定されたことを特徴とする仮設住宅。
【請求項２】
使用されるプレキャストボックスカルバートを再利用することが可能なプレキャストボックスカルバートと収納体を用いた仮設住宅において、
前記プレキャストボックスカルバートは、他のプレキャストボックスカルバートとの連結部を除いて一切の加工が行われていないものであって、
複数個連結されるプレキャストボックスカルバートと、該プレキャストボックスカルバートの中空部でプレキャストボックスカルバートとの間の少なくとも３方に空気層が設けられるように装着される収納体と、該収納体と前記プレキャストボックスカルバートとの間に設けられ、前記収納体を固定する緩衝手段と、を備え、
前記複数個連結されたプレキャストボックスカルバートの端部側に位置する開口部は、前記収納体に形成されたドア部および／または窓部の位置に相当する部分に開口部が形成されたカバープレートによって塞がれたことを特徴とする仮設住宅。
【請求項３】
仮設住宅として使用されると共に使用後には再利用することが可能なプレキャストボックスカルバートの利用方法であって、
前記プレキャストボックスカルバートを所定位置に移動するプレキャストボックスカルバート移動工程と、
プレキャストボックスカルバート移動工程により所定位置に配置された前記プレキャストボックスカルバートを複数個連結するプレキャストボックスカルバート連結工程と、
前記複数個連結されたプレキャストボックスカルバートの中空部に居住空間を形成する収納体を流体キャスターを用いて搬入し装着させる収納体装着工程と、
前記再利用するときには、前記複数個連結されたプレキャストボックスカルバートの中空部から前記収納体を運び出す収納体搬出工程と、
前記複数個連結されたプレキャストボックスカルバートを分離させるプレキャストボックスカルバート分離工程と、
分離された前記プレキャストボックスカルバートを搬送するプレキャストボックスカルバート搬送工程と、を含み、
前記収納体装着工程では、前記収納体を前記プレキャストボックスカルバートの内部底面に配設された台座上に載置させ、前記収納体の上面にも台座を設け、前記収納体の上面に設けられた台座と前記収納体との間にエアージャッキを設けて該エアージャッキに空気又は窒素ガスを充填させることにより前記収納体を固定し、
前記プレキャストボックスカルバート搬送工程によって搬送された前記プレキャストボックスカルバートは、他のプレキャストボックスカルバートとの連結部を除いて一切の加工が行われておらず、ボックスカルバートとして再利用されることを特徴とした仮設住宅に用いられるプレキャストボックスカルバートの利用方法。
【請求項４】
仮設住宅として使用されると共に使用後には再利用することが可能なプレキャストボックスカルバートの利用方法であって、
前記プレキャストボックスカルバートを所定位置に移動するプレキャストボックスカルバート移動工程と、
プレキャストボックスカルバート移動工程により所定位置に配置された前記プレキャストボックスカルバートを複数個連結するプレキャストボックスカルバート連結工程と、
前記複数個連結されたプレキャストボックスカルバートの中空部に居住空間を形成する収納体を流体キャスターを用いて搬入し、前記プレキャストボックスカルバートとの間の少なくとも３方に空気層が設けられるように装着させる収納体装着工程と、
前記再利用するときには、前記複数個連結されたプレキャストボックスカルバートの中空部から前記収納体を運び出す収納体搬出工程と、
前記複数個連結されたプレキャストボックスカルバートを分離させるプレキャストボックスカルバート分離工程と、
分離された前記プレキャストボックスカルバートを搬送するプレキャストボックスカルバート搬送工程と、を含み、
前記収納体装着工程では、前記収納体を前記プレキャストボックスカルバートと前記収納体との間に設けられた緩衝手段によって固定した後、前記複数個連結されたプレキャストボックスカルバートの端部側に位置する開口部を、前記収納体に形成されたドア部および／または窓部の位置に相当する部分に開口部が形成されたカバープレートによって塞ぎ、
前記プレキャストボックスカルバート搬送工程によって搬送された前記プレキャストボックスカルバートは、他のプレキャストボックスカルバートとの連結部を除いて一切の加工が行われておらず、ボックスカルバートとして再利用されることを特徴とした仮設住宅に用いられるプレキャストボックスカルバートの利用方法。
【手続補正３】
【補正対象書類名】明細書
【補正対象項目名】０００１
【補正方法】変更
【補正の内容】
【０００１】
本発明は仮設住宅及び該仮設住宅に用いられるプレキャストボックスカルバートの利用方法に係り、特に地震・余震・豪雪・火山噴火・暴風・土石流などの過酷な自然環境にも耐えられる仮設住宅及び該仮設住宅に用いられるプレキャストボックスカルバートの利用方法に関する。
【手続補正４】
【補正対象書類名】明細書
【補正対象項目名】０００８
【補正方法】変更
【補正の内容】
【０００８】
本発明の目的は、予期しない荷重等にも耐えることが可能であり、防音・防熱、強度等に対する対応が十分で、地震・余震・豪雪・火山噴火・暴風・土石流等の過酷な自然環境にも十分対応可能な仮設住宅及び該仮設住宅に用いられるプレキャストボックスカルバートの利用方法を提供することにある。
【手続補正５】
【補正対象書類名】明細書
【補正対象項目名】０００９
【補正方法】変更
【補正の内容】
【０００９】
また、本発明の他の目的は、使用するプレキャストボックスカルバートに傷を付けず、使用後のプレキャストボックスカルバートを再利用することが可能な仮設住宅及び該仮設住宅に用いられるプレキャストボックスカルバートの利用方法を提供することにある。
【手続補正６】
【補正対象書類名】明細書
【補正対象項目名】００１０
【補正方法】変更
【補正の内容】
【００１０】
前記課題は、請求項１の仮設住宅によれば、使用されるプレキャストボックスカルバートを再利用することが可能なプレキャストボックスカルバートと収納体を用いた仮設住宅において、前記プレキャストボックスカルバートは、他のプレキャストボックスカルバートとの連結部を除いて一切の加工が行われていないものであって、複数個連結されるプレキャストボックスカルバートと、該プレキャストボックスカルバートの中空部に装着される収納体と、を備え、該収納体は、前記プレキャストボックスカルバートの内部底面に配設された台座上に載置されると共に、前記収納体の上面に設けられた台座と前記収納体との間に設けられたエアージャッキに空気又は窒素ガスを充填して固定されたこと、により解決される。
【手続補正７】
【補正対象書類名】明細書
【補正対象項目名】００１１
【補正方法】変更
【補正の内容】
【００１１】
このように、本発明の仮設住宅では、複数個連結されたプレキャストボックスカルバートの中空部に収納体が装着され、該収納体が上面からエアージャッキによって押圧されることにより確実に固定される。またエアージャッキが免震手段として作用することにより、振動等の衝撃に耐えることができ、空気層が設けられることによって、防音、防熱等の効果を得ることができる。さらにプレキャストボックスカルバートには他のプレキャストボックスカルバートとの連結部を除いて一切の加工が行われておらず、ボックスカルバートとして再利用することが可能である。
【手続補正８】
【補正対象書類名】明細書
【補正対象項目名】００１２
【補正方法】変更
【補正の内容】
【００１２】
また、前記課題は、請求項２の仮設住宅によれば、使用されるプレキャストボックスカルバートを再利用することが可能なプレキャストボックスカルバートと収納体を用いた仮設住宅において、前記プレキャストボックスカルバートは、他のプレキャストボックスカルバートとの連結部を除いて一切の加工が行われていないものであって、複数個連結されるプレキャストボックスカルバートと、該プレキャストボックスカルバートの中空部でプレキャストボックスカルバートとの間の少なくとも３方に空気層が設けられるように装着される収納体と、該収納体と前記プレキャストボックスカルバートとの間に設けられ、前記収納体を固定する緩衝手段と、を備え、前記複数個連結されたプレキャストボックスカルバートの端部側に位置する開口部は、前記収納体に形成されたドア部および／または窓部の位置に相当する部分に開口部が形成されたカバープレートによって塞がれたこと、により解決される。
【手続補正９】
【補正対象書類名】明細書
【補正対象項目名】００１３
【補正方法】変更
【補正の内容】
【００１３】
このように、本発明の仮設住宅では、複数個連結されたプレキャストボックスカルバートの中空部に収納体が装着され、収納体に形成されたドア部および／または窓部の位置に相当する部分に開口部が形成されたカバープレートによって複数個連結されたプレキャストボックスカルバートの端部側に位置する開口部が塞がれることにより、居住性や通行、風通しなどを良好にすることが可能となる。また、収納体とプレキャストボックスカルバートとの間に空気層が設けられることにより防音、防熱等の効果を得ることができ、収納体が緩衝手段によって固定されることにより振動等の衝撃に耐えることが可能である。
【手続補正１０】
【補正対象書類名】明細書
【補正対象項目名】００１４
【補正方法】変更
【補正の内容】
【００１４】
また、前記課題は、請求項３の仮設住宅に用いられるプレキャストボックスカルバートの利用方法によれば、仮設住宅として使用されると共に使用後には再利用することが可能なプレキャストボックスカルバートの利用方法であって、前記プレキャストボックスカルバートを所定位置に移動するプレキャストボックスカルバート移動工程と、プレキャストボックスカルバート移動工程により所定位置に配置された前記プレキャストボックスカルバートを複数個連結するプレキャストボックスカルバート連結工程と、前記複数個連結されたプレキャストボックスカルバートの中空部に居住空間を形成する収納体を流体キャスターを用いて搬入し装着させる収納体装着工程と、前記再利用するときには、前記複数個連結されたプレキャストボックスカルバートの中空部から前記収納体を運び出す収納体搬出工程と、前記複数個連結されたプレキャストボックスカルバートを分離させるプレキャストボックスカルバート分離工程と、分離された前記プレキャストボックスカルバートを搬送するプレキャストボックスカルバート搬送工程と、を含み、前記収納体装着工程では、前記収納体を前記プレキャストボックスカルバートの内部底面に配設された台座上に載置させ、前記収納体の上面にも台座を設け、前記収納体の上面に設けられた台座と前記収納体との間にエアージャッキを設けて該エアージャッキに空気又は窒素ガスを充填させることにより前記収納体を固定し、前記プレキャストボックスカルバート搬送工程によって搬送された前記プレキャストボックスカルバートは、他のプレキャストボックスカルバートとの連結部を除いて一切の加工が行われておらず、ボックスカルバートとして再利用されること、により解決される。
【手続補正１１】
【補正対象書類名】明細書
【補正対象項目名】００１５
【補正方法】変更
【補正の内容】
【００１５】
このように、本発明の仮設住宅に用いられるプレキャストボックスカルバートの利用方法では、プレキャストボックスカルバートを複数個連結させて、収納体をプレキャストボックスカルバートの内部底面に配設された台座上に載置させ、エアージャッキによって上面から押圧することにより、振動等の衝撃に耐えることが可能な仮設住宅を得ることができる。また、プレキャストボックスカルバートには他のプレキャストボックスカルバートとの連結部を除いて一切の加工が行われておらず、ボックスカルバートとして再利用することが可能である。
【手続補正１２】
【補正対象書類名】明細書
【補正対象項目名】００１６
【補正方法】変更
【補正の内容】
【００１６】
また、前記課題は、請求項４の仮設住宅に用いられるプレキャストボックスカルバートの利用方法によれば、仮設住宅として使用されると共に使用後には再利用することが可能なプレキャストボックスカルバートの利用方法であって、前記プレキャストボックスカルバートを所定位置に移動するプレキャストボックスカルバート移動工程と、プレキャストボックスカルバート移動工程により所定位置に配置された前記プレキャストボックスカルバートを複数個連結するプレキャストボックスカルバート連結工程と、前記複数個連結されたプレキャストボックスカルバートの中空部に居住空間を形成する収納体を流体キャスターを用いて搬入し、前記プレキャストボックスカルバートとの間の少なくとも３方に空気層が設けられるように装着させる収納体装着工程と、前記再利用するときには、前記複数個連結されたプレキャストボックスカルバートの中空部から前記収納体を運び出す収納体搬出工程と、前記複数個連結されたプレキャストボックスカルバートを分離させるプレキャストボックスカルバート分離工程と、分離された前記プレキャストボックスカルバートを搬送するプレキャストボックスカルバート搬送工程と、を含み、前記収納体装着工程では、前記収納体を前記プレキャストボックスカルバートと前記収納体との間に設けられた緩衝手段によって固定した後、前記複数個連結されたプレキャストボックスカルバートの端部側に位置する開口部を、前記収納体に形成されたドア部および／または窓部の位置に相当する部分に開口部が形成されたカバープレートによって塞ぎ、前記プレキャストボックスカルバート搬送工程によって搬送された前記プレキャストボックスカルバートは、他のプレキャストボックスカルバートとの連結部を除いて一切の加工が行われておらず、ボックスカルバートとして再利用されること、により解決される。
【手続補正１３】
【補正対象書類名】明細書
【補正対象項目名】００１７
【補正方法】変更
【補正の内容】
【００１７】
本発明の仮設住宅及び該仮設住宅に用いられるプレキャストボックスカルバートの利用方法によれば、プレキャストボックスカルバートを複数個連結させ、その中空部に収納体を配設しているため、雪荷重や振動等の衝撃に耐えることができ、防音、防熱等の効果を有する仮設住宅を得ることができる。これにより、地震・余震・豪雪・火山噴火・暴風・土石流等の過酷な自然環境でも使用することが可能となる。
【手続補正１４】
【補正対象書類名】明細書
【補正対象項目名】００４８
【補正方法】変更
【補正の内容】
【００４８】
図１１乃至図１７は、他の参考例に係るプレキャストボックスカルバートと収納体を用いた仮設住宅を説明する図であり、図１１はプレキャストボックスカルバートと収納体を用いた仮設住宅の図１のＡ−Ａ断面に相当する断面図、図１２は更に他の参考例の図１１と同様な断面図、図１３はプレキャストボックスカルバートの連結体１０に収納体としてのユニットハウスと建築用パネルを配設した状態の平面図、図１４は他の参考例の図１３と同様な平面図、図１５は図１４に用いられた接続用函の説明図、図１６は他の参考例に係る仮設住宅を既存の居住建物に接続した例を示す斜視図、図１７は他の参考例に係るプレキャストボックスカルバートと収納体を用いた仮設住宅の斜視図である。
これらの各実施例において、前記実施例と同一部材には、同一符号を付してその説明を省略する。
【手続補正１５】
【補正対象書類名】明細書
【補正対象項目名】００４９
【補正方法】変更
【補正の内容】
【００４９】
（第２の実施形態）
図１１は他の参考例に係るプレキャストボックスカルバートと収納体を用いた仮設住宅の図１のＡ−Ａ断面に相当する断面図であり、本例では連結体１０と収納体２０を用いた仮設住宅において、収納体２０を固定するための緩衝手段が収納体２０の外側上下面に配設された例を示すものである。なお、緩衝手段には前記実施例と同様、エアージャッキ４０を使用している。
【手続補正１６】
【補正対象書類名】明細書
【補正対象項目名】００５２
【補正方法】変更
【補正の内容】
【００５２】
（第３の実施形態）
図１２は他の参考例に係るプレキャストボックスカルバートと収納体を用いた仮設住宅の図１のＡ−Ａ断面に相当する断面図である。図１２で示す例では、収納体２０を固定するための緩衝手段が収納体２０の外側上下面に配設されており、さらに単函１１（及び連結体１０）と、その中に配置される収納体２０との間の空間（空気層３０）を利用して、収納体２０の周囲に、断熱材３１を配置している。またこの空間（空気層３０）を利用して、断熱材３１の他に、空調ダクト３２、給水・汚水用パイプ３４、電線保護管３３を含む収納体関連部材を配設している。本例では、空調ダクト３２、給水・汚水用パイプ３４、電線保護管３３は、ポリエチレン樹脂をコルゲート状に成形加工したフレキシビリティに富んだコルゲートパイプなどを用いている。これにより、居住空間の快適性を確保している。
【手続補正１７】
【補正対象書類名】明細書
【補正対象項目名】００５８
【補正方法】変更
【補正の内容】
【００５８】
【図１】本発明の一実施形態に係るプレキャストボックスカルバートと収納体を用いた仮設住宅の斜視図である。
【図２】図１に用いられるプレキャストボックスカルバートの単函の斜視図である。
【図３】図２のプレキャストボックスカルバートを複数個連結した連結体の斜視図である。
【図４】プレキャストボックスカルバートの連結部分を示す説明図である。
【図５】プレキャストボックスカルバートの連結体に収納体を装着する説明図である。
【図６】プレキャストボックスカルバートの連結体に収納体を装着する工程の説明図である。
【図７】エアージャッキの説明図である。
【図８】仮設住宅の図１のＡ−Ａ断面図である。
【図９】別の例を示す図８と同様な断面図である。
【図１０】プレキャストボックスカルバートの連結例を示した説明図である。
【図１１】他の参考例に係るプレキャストボックスカルバートと収納体を用いた仮設住宅の図１のＡ−Ａ断面に相当する断面図である。
【図１２】他の参考例の図１１と同様な断面図である。
【図１３】プレキャストボックスカルバートの連結体に収納体としてのユニットハウスと建築用パネルを配設した状態の平面図である。
【図１４】他の参考例の図１３と同様な平面図である。
【図１５】図１４に用いられた接続用函の説明図である。
【図１６】他の参考例に係る仮設住宅を既存の居住建物に接続した例を示す斜視図である。
【図１７】他の参考例に係るプレキャストボックスカルバートと収納体を用いた仮設住宅の斜視図である。